【事件の表示】
　特願２０１３−２５５５４６「決済端末装置」拒絶査定不服審判事件〔平成２７年　６月２２日出願公開、特開２０１５−１１４７８８〕について、次のとおり審決する。
【結　論】
　本件審判の請求は、成り立たない。
【理　由】
１．手続の経緯
　本件審判請求に係る出願（以下、「本願」という。）は、平成２５年１２月１１日付けの出願であって、平成２６年３月４日付けで審査請求がなされ、平成２６年８月１日付けで拒絶理由通知（同年８月５日発送）がなされ、同年１０月１日付けで意見書が提出されると共に、同日付けで手続補正書が提出され、同年１０月１５日付けで拒絶査定（同年１０月２８日謄本送達）がなされたものである。 
　これに対して、「原査定を取り消す。本願の発明は特許すべきものとする、との審決を求める。」を請求の趣旨として、平成２７年１月２８日付けで審判請求がされるとともに、同日付けで手続補正書が提出され、同年２月２６日付けで特許法第１６４条第３項に定める報告がなされ、同年１０月６日付けで当審により拒絶理由通知（同年１０月１３日発送）がなされ、同年１２月１０日付けで意見書が提出されると共に同日付けで手続補正書が提出された。
２．本願発明
　本願の請求項１に係る発明（以下、「本願発明」という。）は、平成２７年１２月１０日付けの手続補正書により補正された特許請求の範囲の請求項１に記載されたとおりの、次の事項により特定されるものである。
　
　「決済に関する金額等を表示するとともに決済に用いられるカードの読取り操作を促す表示を行う表示部を備え、ソフトウェアプラットフォームとしての汎用オペレーティングシステム（ＯＳ）の下で決済アプリケーション及びその他の業務アプリケーションを実行する非セキュアな第１の情報処理部と、
　前記カードを読み取る読取り部と、
　前記決済に用いられるカードが正当な者によって保有されているか否かの認証に用いられる認証情報が入力されるセキュア入力部及び前記セキュア入力部による入力に関連して、前記カードの認証に必要な認証情報の前記セキュア入力部による入力を可能とする表示を行うセキュア表示部とを備えた耐タンパ性を有するセキュアな第２の情報処理部と、を有し、
　前記第１の情報処理部と前記第２の情報処理部と前記読取り部とは筐体に収容され、
　前記セキュア入力部は、少なくともＰＩＮ及び署名を前記認証情報として入力可能である、
　決済端末装置。」
３．引用文献
（１）引用文献１
　本願の出願前に頒布又は電気通信回線を通じて公衆に利用可能となり平成２７年１０月６日付けの拒絶理由通知において引用された、米国特許出願公開第２００４／０１６７８２０号明細書（２００４年８月２６日公開、以下、「引用文献１」という。）には、関連する図面とともに、以下の技術的事項が記載されている。 
 　（当審注：下線は、参考のために当審で付与したものである。） 
Ａ　「 [0001]  
The present invention generally relates to a payment terminal system.
Ａの当審仮訳　「 [0001] 
本発明は一般に支払い端末システムに関する。
Ｂ　「 [0028]  The handheld terminal  110  can interact with one or more mobile companions,  120 1  through  120 N , N being an integer greater than or equal to one. The mobile companion(s),  120 1  through  120 N  can be referred to collectively as mobile companion(s)  120 . The mobile companion(s)  120  can be located at one or more tables in the restaurant to facilitate customer payment. The handheld terminal  110  and mobile companion(s)  120  can communicate via a plurality of methods. For example, the handheld terminal  110  and mobile companion(s)  120  can connect to each other physically, via a cable and/or mating parts. Additionally, or alternatively, the handheld terminal  110  and mobile companion(s)  120  can communicate via a wireless network, such as a WAN or LAN. It is to be appreciated that any suitable communication protocol can be employed. For example, the network can employ Bluetooth, Ethernet (IEEE 802.3), Wireless Ethernet (IEEE 802.11), PPP (point-to-point protocol), point-to-multipoint short-range RF (Radio Frequency), WAP (Wireless Application Protocol), IP, lPv6, TCP and User Datagram Protocol (UDP). 
The server can transmit an itemized bill and payment amount from the handheld terminal  110  to a mobile companion  120 . The customer can view the bill and payment amount on a display of the mobile companion  120 . 
A user input device on the handheld terminal  110  or mobile companion  120 , such as a magnetic stripe reader, can be employed to make a payment. 
Ｂの当審仮訳「 [0028] ハンドヘルドターミナル110は1つ以上のモバイルコンパニオン120 1から120 N(Ｎは1以上の整数)と対話することができる。モバイルコンパニオン120 1から120 Nを総体としてモバイルコンパニオン120と呼ぶこととする。モバイルコンパニオン120は顧客の支払いを促進するためにレストランで1つ以上のテーブルに配置することができる。ハンドヘルドターミナル110およびモバイルコンパニオン120は複数の方法によって通信することができる。例えば、ハンドヘルドターミナル110およびモバイルコンパニオン120は、ケーブルおよび／または結合部によって、互いに物理的に接続することができる。さらに／あるいは、ハンドヘルドターミナル110およびモバイルコンパニオン120はWANやLANといったワイヤレス・ネットワークによって通信することができる。いかなる適切な通信プロトコルも使用することができることが認識されることになっている。例えば、ネットワークはブルートゥース、イーサネット(IEEE 802.3)、無線イーサネット(IEEE 802.11)、PPP(二地点間のプロトコル)、ポイントからマルチポイントへのショートレンジRF(無線周波数)、WAP(無線アプリケーション・プロトコル)、IP、lPv6、TCPおよびユーザ・データグラム・プロトコル(UDP)を使用することができる。
ウェイターはハンドヘルドターミナル110からモバイルコンパニオン120に明細付き請求書と支払金額を送信することができる。顧客は、モバイルコンパニオン120のディスプレイ上の請求書と支払金額を見ることができる。
磁気ストライプ読取機構のような、ハンドヘルドターミナル110あるいはモバイルコンパニオン120のユーザ入力デバイスは、支払のために使用することができる。
Ｃ　「 [0036]  FIG. 2  illustrates an example of a handheld terminal  200  in accordance with an aspect of the present invention. 
The handheld terminal  200  includes a housing  210
The handheld terminal  200  includes a display  220 .
software operating on the handheld terminal  200  and/or mobile companion may provide for the display of restaurant information, menu information, specials, price information, etc. to a user.
Ｃの当審仮訳「 [0036] 図2は、本発明の態様に従ってハンドヘルドターミナル200の例を説明したものである。
ハンドヘルドターミナル200は筐体210を含んでおり
ハンドヘルドターミナル200はディスプレイ220を含んでいる。
ハンドヘルドターミナル200および／またはモバイルコンパニオンで作動するソフトウェアは、ユーザーにレストラン情報、メニュー情報、スペシャル、価格情報などの表示を提供してもよい。
Ｄ　「 [0045]   FIG. 6  illustrates yet another example of a mobile companion  600  in accordance with an aspect of the present invention. The mobile companion  600  includes a housing  610  which can be constructed from a high strength plastic, metal, or any other suitable material and is rugged enough to withstand a drop by a server and/or customer. Moreover, the mobile companion  600  can include a protective guard  615  around a portion of the housing  610  to protect the mobile companion  600  in the event of a drop. 
A display  620  is disposed within the housing to display data or other information relating to ordinary operation of the mobile companion  600  and/or a handheld terminal. 
 [0046]  The mobile companion  600  can also include a plurality of input devices. For example, 
the mobile companion can include user input keys  630 , including a pin pad  632 , for allowing a user to input information and/or operational commands.
to allow a customer to privately enter a PIN. The mobile companion can also include a magnetic stripe reader  640  and/or smart card reader and/or scanner (not shown). The magnetic stripe reader  640  can receive credit card, bank card, etc. information as a customer payment option. 
Ｄの当審仮訳　「 [0045] 図6は、本発明の態様に従ってモバイルコンパニオン600の別の例をさらに説明する。モバイルコンパニオン600は筐体610を含んでおり、これは高強度プラスチック、金属あるいは他の適切な材料から構築することができ、ウェイターおよび／または顧客による落下に耐えられる十分な頑丈さを有しているものである。さらに、モバイルコンパニオン600は、落下の際にはモバイルコンパニオン600を保護するための筐体610の一部の周囲に保護ガード615を含み得る。
ディスプレイ620は筐体内に配置され、モバイルコンパニオン600および／またはハンドヘルドターミナルの通常のオペレーションに関係のあるデータあるいは他の情報を表示する。
[0046] モバイルコンパニオン600はさらに複数の入力装置を含むことができる。例えば、
モバイルコンパニオンは、ユーザーに情報および／またはオペレーションコマンドの入力をさせるための、ピンパッド632を含むユーザー入力キー630を含めることができる。
顧客が秘密にPINを入力することができる
モバイルコンパニオンはさらに磁気ストライプ読取機構640および／またはスマートカードリーダおよび／またはスキャナー(図示せず)を含むことができる。磁気ストライプ読取機構640はクレジットカード、バンクカードなど、顧客の支払い選択の情報を読み取ることができる。
Ｅ　「 [0050]  FIGS.  7 - 10  depict examples of payment terminal systems that can be employed in accordance with an aspect of the present invention.  FIG. 7  illustrates a system with three components: a handheld terminal  710  for use by a server to provide customer services; a mobile companion  720  for use by a customer to pay for a transaction; and an external printer  730  to provide a receipt for the restaurant and/or customer.  
FIG. 8  illustrates a system with two components: a handheld terminal  810 , which includes the functionalities of both handheld terminal  710  and mobile companion  720 ;
Ｅの当審仮訳　「 [0050] 図7-10は、本発明の態様に従って使用することができる支払端末システムの例が表されている。図7はシステムを3つのコンポーネント、顧客にサービスを提供するウェイターによる使用のためのハンドヘルドターミナル710;　トランザクションのために支払う顧客による使用のためのモバイルコンパニオン720;  またレストランおよび／または顧客にレシートを提供する外部プリンタ730、が示される。
図8には、ハンドヘルドターミナル710およびモバイルコンパニオン720の両方の機能性を含んでいるハンドヘルドターミナル810
からなるシステムが示される。
Ｆ　「 [0060]  The handheld terminal and/or mobile companion  1300  includes a communication subsystem  1325  that includes a data communication port  1328 , which is employed to interface the processor  1305  with the main computer. The handheld terminal and/or mobile companion  1300  also optionally includes an RF section  1330  connected to the processor  1305 . The RF section  1330  includes an RF receiver  1335 , which receives RF transmissions from the main computer for example via an antenna  1340  and demodulates the signal to obtain digital information modulated therein. The RF section  1330  also includes an RF transmitter  1345  for transmitting information to the main computer, for example, in response to an operator input at a operator input device  1350  (e.g., keypad, 
pin pad
Peripheral devices, such as a printer  1355 , signature pad  1360 , magnetic stripe reader  1365 , smart card reader  1368 , and barcode scanner/imager  1370  can also be coupled to the handheld terminal and/or mobile companion  1300  through the processor  1305 . 
 [0061]  
The handheld terminal and/or mobile companion  1300  also includes a tamper resistant grid  1375  to provide for secure payment transactions. If the handheld terminal and/or mobile companion  1300  is employed as payment terminal, it can be loaded with a special operating system. However, if the handheld terminal and/or mobile companion  1300  is employed as a general purpose terminal, it can be loaded with a general purpose operating system.
Ｆの当審仮訳　「 [0060] ハンドヘルドターミナルおよび／またはモバイルコンパニオン1300は、メインコンピューターとプロセッサー1305を接続するために使用されるデータ通信ポート1328を含む通信サブシステム1325を含んでいる。ハンドヘルドターミナルおよび／またはモバイルコンパニオン1300は、プロセッサー1305に接続されたRF部1330をさらに任意に含んでいる。RF部1330は、例えばアンテナ1340によってメインコンピューターからRF送信を受け取って変調されたデジタル情報を得る信号を復調する、RF受信機1335を含んでいる。RF部1330はさらに、オペレーターの入力装置1350(例えばキーパッド、
ピンパッド
周辺機器、例えばプリンタ1355、署名パッド1360、磁気ストライプ読取機構1365、スマートカードリーダ1368およびバーコード・スキャナー/イメージャー1370も、プロセッサー1305を通ってハンドヘルドターミナルおよび／またはモバイルコンパニオン1300に接続される。
[0061] 
ハンドヘルドターミナルおよび／またはモバイルコンパニオン1300は、さらに安全な支払取引を提供するための耐タンパー性のグリッド1375を含んでいる。ハンドヘルドターミナルおよび／またはモバイルコンパニオン1300が支払いターミナルとして使用される場合には、特別なオペレーティング・システムを搭載することができる。一方、ハンドヘルドターミナルおよび／またはモバイルコンパニオン1300が汎用ターミナルとして使用される場合には、汎用オペレーティング・システムを搭載することができる。
Ｇ　「 [0063]  Turning now to  FIG. 14, a  methodology  1400  for fabricating a portable electronic device is depicted. The methodology begins at  1410  where a tamper resistant grid is provided to facilitate secure payment transactions. At  1420 , it is determined whether the portable electronic device will be a handheld terminal or a mobile companion. 
If the portable electronic device is a handheld terminal, a general purpose operating system is provided at  1430 . 
if the portable electronic device is a mobile companion, it is provided with a special operating system at  1450 . 
Ｇの当審仮訳　「 [0063] 図14に移って、携帯用電子機器を作り上げるための方法論1400が表されている。耐タンパー性のグリッドが安全な支払い取引を促進するために提供される場合、方法論は1410で始まる。1420で、携帯用電子機器がハンドヘルドターミナルあるいはモバイルコンパニオンになるかどうかが決定される。
携帯用電子機器がハンドヘルドターミナルである場合、汎用オペレーティング・システムが1430で提供される。
携帯用電子機器がモバイルコンパニオンである場合、1450で特別のオペレーティング・システムが提供される。
Ｈ　図８には、ハンドヘルドターミナル710とモバイルコンパニオン720とを同一の筐体に収めたハンドヘルドターミナル810が示されている。
　ここで、上記引用文献１の記載事項について検討する。
ア　上記Ａの「本発明は一般に支払い端末システムに関する。」より、引用文献１には「支払い端末システム」の発明が記載されているものと解される。
イ　上記Ｂの「ウェイターはハンドヘルドターミナル110からモバイルコンパニオン120に明細付き請求書と支払金額を送信することができる。」より、引用文献１のハンドヘルドターミナルは、請求書と支払金額に関する処理を行っているものと読み取れ、また上記Ｃの「ハンドヘルドターミナル200はディスプレイ220を含んでいる。」及び「ハンドヘルドターミナル200および／またはモバイルコンパニオンで作動するソフトウェアは、ユーザーにレストラン情報、メニュー情報、スペシャル、価格情報などの表示を提供してもよい。」より、ハンドヘルドターミナルは価格を表示可能なディスプレイを有しているものと読み取れ、さらに上記Ｇの「携帯用電子機器がハンドヘルドターミナルである場合、汎用オペレーティング・システムが1430で提供される。」より、ハンドヘルドターミナルでは汎用オペレーティングシステムが動作しているものと読み取れる。したがって、引用文献１には、「汎用オペレーティングシステムが動作し、請求書と支払金額に関する処理を行うとともに、価格を表示可能なディスプレイを有するハンドヘルドターミナル」が記載されているものと解される。
ウ　上記Ｄの「モバイルコンパニオンはさらに磁気ストライプ読取機構640および／またはスマートカードリーダおよび／またはスキャナー(図示せず)を含むことができる。磁気ストライプ読取機構640はクレジットカード、バンクカードなど、顧客の支払い選択の情報を読み取ることができる。」より、引用文献１には「カードを読み取るカードリーダ」を備えた「モバイルコンパニオン」が記載されているものと解される。
エ　上記Ｆの「ハンドヘルドターミナルおよび／またはモバイルコンパニオン1300は、さらに安全な支払取引を提供するための耐タンパー性のグリッド1375を含んでいる。ハンドヘルドターミナルおよび／またはモバイルコンパニオン1300が支払いターミナルとして使用される場合には、特別なオペレーティング・システムを搭載することができる。」及び上記Ｇの「携帯用電子機器がモバイルコンパニオンである場合、1450で特別のオペレーティング・システムが提供される。」より、引用文献１のモバイルコンパニオンは、安全な支払取引を提供するための耐タンパー性を有し、特別なオペレーティング・システムが動作するものと解される。
　また、上記Ｄの「ディスプレイ620は筐体内に配置され、モバイルコンパニオン600および／またはハンドヘルドターミナルの通常のオペレーションに関係のあるデータあるいは他の情報を表示する。」、「モバイルコンパニオンは、ユーザーに情報および／またはオペレーションコマンドの入力をさせるための、ピンパッド632を含むユーザー入力キー630を含めることができる。・・・顧客が秘密にPINを入力することができる」より、引用文献１のモバイルコンパニオンは、秘密にＰＩＮを入力することができるピンパッドと、ディスプレイとを有しているものと解される。
　よって、引用文献１には、「安全な支払取引を提供するための耐タンパー性を有し、特別なオペレーティング・システムが動作し、秘密にＰＩＮを入力することができるピンパッドと、ディスプレイとを有するモバイルコンパニオン」が記載されているものと解される。
オ　上記Ｄの「モバイルコンパニオンはさらに磁気ストライプ読取機構640および／またはスマートカードリーダおよび／またはスキャナー(図示せず)を含むことができる。磁気ストライプ読取機構640はクレジットカード、バンクカードなど、顧客の支払い選択の情報を読み取ることができる。」、上記Ｅの「図8には、ハンドヘルドターミナル710およびモバイルコンパニオン720の両方の機能性を含んでいるハンドヘルドターミナル810・・・からなるシステムが示される。」及び上記Ｈの「図８には、ハンドヘルドターミナル710とモバイルコンパニオン720とを同一の筐体に収めたハンドヘルドターミナル810が示されている」より、引用文献１には、ハンドヘルドターミナル710とモバイルコンパニオン720と（モバイルコンパニオンが含む）カードリーダとが筐体に収容される態様が記載されているものと解される。
カ　上記Ｄの「モバイルコンパニオンは、ユーザーに情報および／またはオペレーションコマンドの入力をさせるための、ピンパッド632を含むユーザー入力キー630を含めることができる。」及び上記Ｆの「周辺機器、例えばプリンタ1355、署名パッド1360、磁気ストライプ読取機構1365、スマートカードリーダ1368およびバーコード・スキャナー/イメージャー1370も、プロセッサー1305を通ってハンドヘルドターミナルおよび／またはモバイルコンパニオン1300に接続される。」より、引用文献１のモバイルコンパニオンは、ＰＩＮ及び署名を入力可能であるものと解される。
キ　上記ア乃至カより、引用文献１には、次の発明（以下、「引用発明」という。）が記載されていると認められる。
　
「汎用オペレーティングシステムが動作し、請求書と支払金額に関する処理を行うとともに、価格を表示可能なディスプレイを有するハンドヘルドターミナルと、
　カードを読み取るカードリーダと、安全な支払取引を提供するための耐タンパー性を有し、特別なオペレーティング・システムが動作し、秘密にＰＩＮを入力することができるピンパッドと、ディスプレイとを有するモバイルコンパニオンと、
　前記ハンドヘルドターミナルと前記カードリーダを備えた前記モバイルコンパニオンとが筐体に収容され、
　前記モバイルコンパニオンは、ＰＩＮ及び署名を入力可能である、
　支払い端末システム。」
（２）引用文献２
　本願の出願前に頒布又は電気通信回線を通じて公衆に利用可能となり平成２７年１０月６日付けの拒絶理由通知において引用された、特開２００２−３６７００９号公報（平成１４年１２月２０日出願公開、以下、「引用文献２」という。）には、下記引用文献記載事項が記載されている。（下線は当審で付与した。）
　
Ｉ　「【００３０】
ユーザ１２がＡＴＭ１０に近づくと、彼には彼のカードを挿入するように促すディスプレイ３０上の歓迎画面８０ａ（図３（Ａ））が提示される。彼のカードの挿入後、ユーザ１２には彼のＰＩＮ（個人識別番号）を入力するように促す画面８０ｂ（図３（Ｂ））が提示され、
　上記記載から、引用文献２には、次の技術的事項が記載されていると解される。
「ユーザにカードを挿入するように促し、カード挿入後、ＰＩＮを入力するように促す画面を提示するディスプレイを有するＡＴＭ。」
（３）引用文献３
　本願の出願前に頒布又は電気通信回線を通じて公衆に利用可能となり平成２７年１０月６日付けの拒絶理由通知において引用された、特開２００８−２４４９９２号公報（平成２０年１０月９日出願公開、以下、「引用文献３」という。）には、下記引用文献記載事項が記載されている。（下線は当審で付与した。）
Ｊ　「【００３１】
　図３に示すように、電子機器２０は、本体部３０と、耐タンパモジュールとしてのモジュール４０と、を備えて構成される。モジュール４０は、本体部３０に対し、着脱可能な構成として説明する。しかし、本体部３０とモジュール４０とが、一体型である構成としてもよい。
【００３２】
　
本体部３０は、耐タンパ性がない又は弱い部分である。
【００３３】
　ＣＰＵ３１、ＲＡＭ３３、通信部３６は、センタサーバ１０のＣＰＵ１１、ＲＡＭ１３、通信部１６と同様の構成であり、異なる部分を主として説明する。
【００３４】
　ＣＰＵ３１は、フラッシュメモリ３５に記憶されたブートプログラム３５１との協働で、アプリ部３５Ｂのハッシュ値を算出し、アプリ部３５Ｂのハッシュ値及びブート部３５Ａをモジュール４０に送信し、それらの変更が行われていないことを示すプログラムＯＫ信号をモジュール４０から受信した場合に、ブート部３５Ａ及びアプリ部３５Ｂの使用を許可し、ＩＤ情報をセンタサーバ１０に送信して認証を得て、
ＩＣカードのカード情報及び暗証情報を含む決済情報を生成しセンタサーバ１０に送信して決済処理を行う。
Ｋ　「【００４１】
　
モジュール４０は、耐タンパ性を有する。
【００４２】
　ＣＰＵ４１、ＲＡＭ４３、フラッシュメモリ４５は、本体部３０のＣＰＵ３１、ＲＡＭ３３、フラッシュメモリ３５と同様の構成であり、異なる部分を主として説明する。
【００４３】
　ＣＰＵ４１は、フラッシュメモリ４５に記憶された第１のモジュール処理プログラムとの協働で、本体部３０からアプリ部３５Ｂのハッシュ値及びブート部３５Ａ自体を受信し、ブート部３５Ａのハッシュ値を算出し、アプリ部３５Ｂのハッシュ値及び算出したブート部３５Ａのハッシュ値と、フラッシュメモリ４５に記憶されたハッシュ値４５１とが一致するか否かを判別し、一致する場合に、プログラムＯＫ信号を本体部３０に送信する。その後、
ＣＰＵ４１は、本体部３０からカード情報読み取り指示及び暗証情報入力指示を受信し、カードリーダ４４によりＩＣカードからカード情報を読み取り、入力部４２から暗証情報の入力を受付け、カード情報及び暗証情報を鍵Ｔ１で暗号化して本体部３０に送信する。
　上記記載から、引用文献３には、次の技術的事項が記載されていると解される。
「耐タンパ性がない本体部と、耐タンパ性を有しＩＣカードからカード情報を読み取り入力部から暗証情報の入力を受け付けるモジュール、とからなる決済処理を行う電子機器」
４．対比
　以下、本願発明と引用発明とを比較する。
（１）引用発明は「支払い端末システム」の発明であるが、これは本願発明の「決済端末装置」に相当するものである。
（２）引用発明の「汎用オペレーティングシステムが動作し、請求書と支払金額に関する処理を行うとともに、価格を表示可能なディスプレイを有するハンドヘルドターミナル」について、一般に「汎用オペレーティングシステム」が「ソフトウェアプラットフォーム」であることは自明であり、引用発明の「ハンドヘルドターミナル」は情報処理部を含むことは明らかであるから、上記記載は、本願発明の「決済に関する金額等を表示するとともに決済に用いられるカードの読取り操作を促す表示を行う表示部を備え、ソフトウェアプラットフォームとしての汎用オペレーティングシステム（ＯＳ）の下で決済アプリケーション及びその他の業務アプリケーションを実行する非セキュアな第１の情報処理部」と、「決済に関する金額等を表示する表示部を備え、ソフトウェアプラットフォームとしての汎用オペレーティングシステム（ＯＳ）を実行する第１の情報処理部」である点において共通するものである。（相違点については後述する。）
（３）引用発明の「カードを読み取るカードリーダ」は、本願発明の「カードを読み取る読取り部」に相当するものである。
（４）引用発明の「安全な支払取引を提供するための耐タンパー性を有し、特別なオペレーティング・システムが動作し、秘密にＰＩＮを入力することができるピンパッドと、ディスプレイとを有するモバイルコンパニオン」における「秘密にＰＩＮを入力することができるピンパッド」は、「ＰＩＮ」が秘密にすべき認証情報であることは明らかであるから、本願発明の「決済に用いられるカードが正当な者によって保有されているか否かの認証に用いられる認証情報が入力されるセキュア入力部」に相当するものである。また、引用発明の「モバイルコンパニオン」は情報処理部を含むことが明らかである。そうすると、引用発明の「カードを読み取るカードリーダと、安全な支払取引を提供するための耐タンパー性を有し、特別なオペレーティング・システムが動作し、秘密にＰＩＮを入力することができるピンパッドと、ディスプレイとを有するモバイルコンパニオン」は、本願発明の「前記決済に用いられるカードが正当な者によって保有されているか否かの認証に用いられる認証情報が入力されるセキュア入力部及び前記セキュア入力部による入力に関連して、前記カードの認証に必要な認証情報の前記セキュア入力部による入力を可能とする表示を行うセキュア表示部とを備えた耐タンパ性を有するセキュアな第２の情報処理部」と、「前記決済に用いられるカードが正当な者によって保有されているか否かの認証に用いられる認証情報が入力されるセキュア入力部と表示部とを備えた耐タンパ性を有するセキュアな第２の情報処理部」である点において共通するものである。（相違点については後述する。）
（５）引用発明の「モバイルコンパニオン」は、本願発明の「第２の情報処理部」と「読取り部」を合わせたものに対応しているから、引用発明の「前記ハンドヘルドターミナルと前記カードリーダを備えた前記モバイルコンパニオンとが筐体に収容され」ることは、本願発明の「前記第１の情報処理部と前記第２の情報処理部と前記読取り部とは筐体に収容され」ることに相当するものである。
（６）引用発明の「前記モバイルコンパニオンは、ＰＩＮ及び署名を入力可能である」ことは、本願発明の「前記セキュア入力部は、少なくともＰＩＮ及び署名を前記認証情報として入力可能である」ことに相当する。
（７）よって、本願発明は、下記一致点で引用発明と一致し、下記相違点で引用発明と相違する。
　
（一致点）
　「決済に関する金額等を表示する表示部を備え、ソフトウェアプラットフォームとしての汎用オペレーティングシステム（ＯＳ）を実行する第１の情報処理部と、
　カードを読み取る読取り部と、
　前記決済に用いられるカードが正当な者によって保有されているか否かの認証に用いられる認証情報が入力されるセキュア入力部と表示部とを備えた耐タンパ性を有するセキュアな第２の情報処理部と、を有し、
　前記第１の情報処理部と前記第２の情報処理部と前記読取り部とは筐体に収容され、
　前記セキュア入力部は、少なくともＰＩＮ及び署名を前記認証情報として入力可能である、
　決済端末装置。」
（相違点１）本願発明の第１の情報処理部は、「決済に用いられるカードの読取り操作を促す表示を行う」表示部を備えるのに対し、引用発明のハンドヘルドターミナルの「表示部」は「決済に用いられるカードの読取り操作を促す表示を行う」点について特定されていない点。
（相違点２）本願発明の第１の情報処理部は、「決済アプリケーション及びその他の業務アプリケーションを実行する」ものであるのに対し、引用発明のハンドヘルドターミナルは、そのような点について特定されていない点。
（相違点３）本願発明の第１の情報処理部は、「非セキュアな」ものであるのに対し、引用発明のハンドヘルドターミナルは、非セキュアであるか否か特定されていない点。
（相違点４）本願発明の第２の情報処理部は、「媒体の認証に必要な認証情報の前記セキュア入力部による入力を可能とする表示を行うセキュア表示部」を備えるのに対し、引用発明の表示部は、そのようであるか特定されていない点。 
５．判断
 　上記相違点について検討する。 
  
（相違点１について）
　引用文献２に記載されているように（上記３．（２）参照）、ＡＴＭのような金融取引端末装置においてカードを挿入するように促す画面を表示することは周知技術にすぎず、これを支払い端末システムという同一技術分野である引用発明のハンドヘルドターミナルに適用することも、当業者ならば容易に想到し得たものである。
（相違点２について）
　引用文献１には、ハンドヘルドターミナルは、項目別勘定書(itemized bill)及び支払金額(payment amount)をモバイルコンパニオンに転送する（上記Ｂの段落[0028]）ことが記載されていることから、引用発明のハンドヘルドターミナルは、本願発明の「決済アプリケーション」と同等のアプリケーションを実行しているものと認められる。
　また、ハンドヘルドターミナル上では、汎用オペレーティングシステムが動作していることから、「その他の必要な業務アプリケーション」を実行させるように構成することも、当業者ならば適宜なし得たものである。
（相違点３について）
　引用文献３（上記３．（３）参照）には、「耐タンパ性がない本体部と、耐タンパ性を有しＩＣカードからカード情報を読み取り入力部から暗証情報の入力を受け付けるモジュール、とからなる決済処理を行う電子機器」が記載されていることから、引用文献３に記載の決済処理を行う電子機器の技術を、同一の技術分野である引用発明の支払い端末システムに適用し、ハンドヘルドターミナルが耐タンパ性がない（非セキュアな）ものとすることは、当業者ならば容易になし得たものである。
（相違点４について）
　引用文献２に記載されているように（上記３．（２）参照）、ＡＴＭのような金融取引端末装置においてＰＩＮを入力するように促す画面を表示することは周知技術にすぎず、これを支払い端末システムという同一技術分野である引用発明のモバイルコンパニオンに適用することも、当業者ならば容易に想到し得たものである。 
  
　そして、上記相違点に係る構成の採用によって奏される作用効果も、当業者であれば容易に予測し得る程度のものであり格別顕著なものではない。
　よって、本願発明は、引用発明、引用文献２に記載の周知技術、及び引用文献３に記載の技術に基づいて、当業者が容易に発明をすることができたものである。
６．平成２７年１２月１０日付け意見書について
　請求人は、上記平成２７年１２月１０日付けの意見書において、「上記各引用文献１−３の記載には、本願の新請求項１に係る発明（決済端末装置）の有する更なる特徴点「非セキュアな第１の情報処理部が、ソフトウェアプラットフォームとしての汎用オペレーティングシステム（ＯＳ）の下で決済アプリケーション及びその他の業務アプリケーションを実行する」ことの開示も示唆も無い」と主張しているが、これらの検討は上述のとおりであり、請求人の主張を採用することはできない。
７．むすび
　以上のとおり、本願発明は、その出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　したがって、その余の請求項について言及するまでもなく、本願は拒絶すべきものである。
　よって、結論のとおり審決する。